(57)【要約】【課題】受付部においてユーザに対する操作性を向上することを課題とする。【解決手段】携帯端末１０は、『０９０−１××４−５××８に発信』という処理内容と、『「１」、「４」、「７」および「※」それぞれが表記された４つのボタンから出力される信号に基づく情報』とを対応付けた対応関係等をテーブル１１で記憶する。そして、携帯端末１０は、ユーザによって「５」が表記されたボタンを押下されると、当該「５」が表記されたボタンから出力される信号に基づく情報にはテーブル１１より「０９０−２××５−６××９に発信」という処理内容が対応付けられているので、その処理内容のとおり実行する。また、この処理内容には、「５」の他に「２」、「８」および「０」が表記されたボタンから出力される信号に基づく情報も対応付けられているので、携帯端末１０は、これらいずれかのボタンを押下された場合には、同じ処理内容を実行する。【選択図】        図１
2008187358.tif 000002
【特許請求の範囲】
【請求項１】
複数の領域からなる受付部においてユーザから押下または接触による指示を受け付け、当該指示された領域に応じた処理を実行する処理実行方法をコンピュータに実行させる処理実行プログラムであって、
前記複数の領域を区分けしてなる各領域群のなかで各領域が同一の処理内容となるように、前記複数の領域と処理内容とが対応付けられた対応関係を保持する保持手順と、
前記保持手順によって保持された対応関係から、前記ユーザによって指示された領域に対応する処理内容を選択し、当該選択した処理内容を実行する処理実行手順と、
をコンピュータに実行させることを特徴とする処理実行プログラム。
【請求項２】
前記保持手順によって保持された対応関係をユーザに報知する報知手順をさらにコンピュータに実行させることを特徴とする請求項１に記載の処理実行プログラム。
【請求項３】
前記保持手順は、予め想定される状況ごとに予め規定された前記対応関係を保持し、
前記処理実行手順は、前記保持手順によって保持された対応関係のうち現状況に該当する対応関係から、前記ユーザによって指示された領域に対応する処理内容を選択し、当該選択した処理内容を実行することを特徴とする請求項１または２に記載の処理実行プログラム。
【請求項４】
現にユーザが選択可能な処理内容の個数に応じて前記複数の領域を区分けし、当該区分けした各領域群のなかで各領域が同一の処理内容となるように、前記複数の領域それぞれに処理内容を割り当てる割当手順をさらにコンピュータに実行させ、
前記保持手順は、前記割当手順によって割り当てられた対応関係を保持することを特徴とする請求項１または２に記載の処理実行プログラム。
【請求項５】
前記割当手順は、現にユーザが選択可能な処理内容それぞれの実行頻度に応じて、当該実行頻度が高い処理内容ほど多数の領域が割り当てられるように、前記複数の領域それぞれに処理内容を割り当てることを特徴とする請求項４に記載の処理実行プログラム。
【請求項６】
複数の領域からなる受付部においてユーザから押下または接触による指示を受け付け、当該指示された領域に応じた処理を実行する処理実行装置であって、
前記複数の領域を区分けしてなる各領域群のなかで各領域が同一の処理内容となるように、前記複数の領域と処理内容とが対応付けられた対応関係を記憶する記憶手段と、
前記記憶手段によって記憶された対応関係から、前記ユーザによって指示された領域に対応する処理内容を選択し、当該選択した処理内容を実行する処理実行手段と、
を備えたことを特徴とする処理実行装置。
【請求項７】
複数の領域からなる受付部においてユーザから押下または接触による指示を受け付け、当該指示された領域に応じた処理を実行する処理実行方法であって、
前記複数の領域を区分けしてなる各領域群のなかで各領域が同一の処理内容となるように、前記複数の領域と処理内容とが対応付けられた対応関係を保持する保持工程と、
前記保持工程によって保持された対応関係から、前記ユーザによって指示された領域に対応する処理内容を選択し、当該選択した処理内容を実行する処理実行工程と、
を含んだことを特徴とする処理実行方法。
【請求項８】
複数の操作部と、
前記複数の操作部に対して処理内容を対応づけるとともに、前記複数の操作部のいずれかが操作された際に当該操作部に対応した処理を実行する処理部と、
選択肢となる処理内容の個数に応じて、前記操作部を複数の領域に分割し、前記処理内容のそれぞれに対応させるべき前記領域を決定する割り当て部と、
を備えることを特徴とする処理実行装置。
【請求項９】
前記端末装置はさらに、
前記操作部を、対応付けられた処理内容に応じて視覚的に区別される対応で表示させる制御部を備えることを特徴とする請求項８に記載の処理実行装置。
【発明の詳細な説明】
【技術分野】
【０００１】
この発明は、複数の領域からなる受付部においてユーザから押下または接触による指示を受け付け、当該指示された領域に応じた処理を実行する処理実行プログラム、処理実行装置および処理実行方法に関する。
【背景技術】
【０００２】
携帯端末や電子機器などの装置あるいはそれらを遠隔操作するリモコンは、ユーザから押下または接触による種々の指示を受け付けるために複数の領域からなる受付部を備えている。従来、この受付部では、一つの領域に対して一つの処理を対応させていた。例えば、携帯端末の受付部では、数字が表記されたボタンが押下されると、その数字を発信電話番号の一部として受け付けるという処理を実行していた。
【０００３】
また、この受付部で、一つの領域に対して複数の処理を対応させる技術もある。例えば、携帯端末の受付部では、「電源」などの文字が表記されたボタンがワンタッチで押下された場合には、初期画面を表示するという処理を実行し、同ボタンが所定の時間以上押下された場合には、電源を切るという処理を実行していた。
【０００４】
その他、複数の領域からなる受付部に係る技術として、特許文献１では、複数のアプリケーションプログラムを同時に実行できる携帯端末において、当該受付部に対して少ない操作回数でアプリケーションプログラムの起動や切り替えを実現する技術が開示されている。具体的には、携帯端末は、ユーザからボタンを押下されることによってアプリケーションプログラムが起動するようにボタンとアプリケーションプログラムとを対応させた対応関係を予め記憶し、当該対応関係を表示しつつユーザによるボタンの押下があるまで待機する。そして、携帯端末は、ボタンが押下された場合には、対応関係より、対応するアプリケーションプログラムを起動する、もしくは対応するアプリケーションプログラムに切り替える。
【０００５】
また、特許文献２では、複数の種類の電子機器を操作可能なリモコンにおける複数の領域からなる受付部に発光手段を備えることで、どの領域がどの電子機器を操作できるかをユーザに対して簡易に認識させる技術が開示されている。具体的には、リモコンは、操作の対象となる電子機器を切り替えるモード切換ボタンと、当該モード切換ボタンによって現に選択されている電子機器を操作するための操作ボタンとを同一色に発光させつつユーザによる操作ボタンの押下があるまで待機する。そして、リモコンは、操作ボタンが押下された場合には、当該操作ボタンに対応する処理を実行する。
【０００６】
【特許文献１】特開２００６−１４８３１６号公報
【特許文献２】特開２００２−３１５０８０号公報
【発明の開示】
【発明が解決しようとする課題】
【０００７】
ところで、上記した従来の技術では、ユーザに対する操作性が悪いという課題があった。具体的には、ユーザは、隣接する領域を押下しないように、意図する一つの領域に対して狙いを定める必要があるので、ユーザに対する操作性が悪いという課題があった。最近では特に、装置本体が小型化するなどして受付部における一つ一つの領域が小さくなり、一般的に細かい作業が不得手である高齢者などにおいては、上記の課題は重大である。なお、上記した特許文献１や２で開示されている技術を用いたとしてもこの課題を解決することはできなかった。
【０００８】
そこで、この発明は、上述した従来技術の課題を解決するためになされたものであり、ユーザに対する操作性を向上することが可能となる処理実行プログラムを提供することを目的とする。
【課題を解決するための手段】
【０００９】
上述した課題を解決し、目的を達成するため、請求項１に係る発明は、複数の領域からなる受付部においてユーザから押下または接触による指示を受け付け、当該指示された領域に応じた処理を実行する処理実行方法をコンピュータに実行させる処理実行プログラムであって、前記複数の領域を区分けしてなる各領域群のなかで各領域が同一の処理内容となるように、前記複数の領域と処理内容とが対応付けられた対応関係を保持する保持手順と、前記保持手順によって保持された対応関係から、前記ユーザによって指示された領域に対応する処理内容を選択し、当該選択した処理内容を実行する処理実行手順と、をコンピュータに実行させることを特徴とする。
【００１０】
また、請求項２に係る発明は、上記の発明において、前記保持手順によって保持された対応関係をユーザに報知する報知手順をさらにコンピュータに実行させることを特徴とする。
【００１１】
また、請求項３に係る発明は、上記の発明において、前記保持手順は、予め想定される状況ごとに予め規定された前記対応関係を保持し、前記処理実行手順は、前記保持手順によって保持された対応関係のうち現状況に該当する対応関係から、前記ユーザによって指示された領域に対応する処理内容を選択し、当該選択した処理内容を実行することを特徴とする。
【００１２】
また、請求項４に係る発明は、上記の発明において、現にユーザが選択可能な処理内容の個数に応じて前記複数の領域を区分けし、当該区分けした各領域群のなかで各領域が同一の処理内容となるように、前記複数の領域それぞれに処理内容を割り当てる割当手順をさらにコンピュータに実行させ、前記保持手順は、前記割当手順によって割り当てられた対応関係を保持することを特徴とする。
【００１３】
また、請求項５に係る発明は、上記の発明において、前記割当手順は、現にユーザが選択可能な処理内容それぞれの実行頻度に応じて、当該実行頻度が高い処理内容ほど多数の領域が割り当てられるように、前記複数の領域それぞれに処理内容を割り当てることを特徴とする。
【００１４】
また、請求項６に係る発明は、複数の領域からなる受付部においてユーザから押下または接触による指示を受け付け、当該指示された領域に応じた処理を実行する処理実行装置であって、前記複数の領域を区分けしてなる各領域群のなかで各領域が同一の処理内容となるように、前記複数の領域と処理内容とが対応付けられた対応関係を記憶する記憶手段と、前記記憶手段によって記憶された対応関係から、前記ユーザによって指示された領域に対応する処理内容を選択し、当該選択した処理内容を実行する処理実行手段と、を備えたことを特徴とする。
【００１５】
また、請求項７に係る発明は、複数の領域からなる受付部においてユーザから押下または接触による指示を受け付け、当該指示された領域に応じた処理を実行する処理実行方法であって、前記複数の領域を区分けしてなる各領域群のなかで各領域が同一の処理内容となるように、前記複数の領域と処理内容とが対応付けられた対応関係を保持する保持工程と、前記保持工程によって保持された対応関係から、前記ユーザによって指示された領域に対応する処理内容を選択し、当該選択した処理内容を実行する処理実行工程と、を含んだことを特徴とする。
【００１６】
また、請求項８に係る発明は、複数の操作部と、前記複数の操作部に対して処理内容を対応づけるとともに、前記複数の操作部のいずれかが操作された際に当該操作部に対応した処理を実行する処理部と、選択肢となる処理内容の個数に応じて、前記操作部を複数の領域に分割し、前記処理内容のそれぞれに対応させるべき前記領域を決定する割り当て部と、を備えることを特徴とする。
【００１７】
また、請求項９に係る発明は、前記端末装置はさらに、前記操作部を、対応付けられた処理内容に応じて視覚的に区別される対応で表示させる制御部を備えることを特徴とする。
【発明の効果】
【００１８】
請求項１、６または７の発明によれば、複数の領域を区分けしてなる各領域群のなかで各領域が同一の処理内容となるように、複数の領域と処理内容とが対応付けられた対応関係を保持し、当該対応関係からユーザによって指示された領域に対応する処理内容を選択し、当該選択した処理内容を実行するので、ユーザに対する操作性を向上することが可能となる。つまり、同じ領域群に属する複数の領域（例えば、複数の操作ボタン、複数の操作キー、タッチパネルの複数領域など）のいずれかをユーザが指示すれば意図する処理が実行される結果、例えば、複数の操作ボタンのなかから意図する処理に対応する一つの操作ボタンを探す必要はなく、また、一つの操作ボタンのみに狙いを定めて押下する必要もなくなるので、ユーザに対する操作性を向上することが可能となる。
【００１９】
また、請求項２の発明によれば、対応関係をユーザに報知するので、ユーザに対する操作性を一層向上することが可能となる。例えば、ユーザは操作ボタンと処理との対応関係を把握した上で誤りなく操作ボタンを押下することができ、ユーザに対する操作性を一層向上することが可能となる。
【００２０】
また、請求項３の発明によれば、予め想定される状況ごとに予め規定された対応関係を保持し、当該対応関係のうち現状況に該当する対応関係から、ユーザによって指示された領域に対応する処理内容を選択し、当該選択した処理内容を実行するので、処理の個数に応じて領域を動的に割り当てる手法と比較して、処理速度を速くすることが可能となる。
【００２１】
また、請求項４または８の発明によれば、現にユーザが選択可能な処理内容の個数に応じて複数の領域を区分けし、当該区分けした各領域群のなかで各領域が同一の処理内容となるように、複数の領域それぞれに処理内容を割り当てるので、ユーザが選択可能な処理内容の個数が変化するような状況においても、ユーザに対する操作性を向上することが可能となる。
【００２２】
また、請求項５の発明によれば、現にユーザが選択可能な処理内容それぞれの実行頻度に応じて、当該実行頻度が高い処理内容ほど多数の領域が割り当てられるように、複数の領域それぞれに処理内容を割り当てるので、ユーザに対する操作性を一層向上することが可能となる。例えば、実行頻度が高い処理内容ほど多数の操作ボタンによってユーザは押下し易くなる結果、ユーザに対する操作性を一層向上することが可能となる。
【００２３】
また、請求項９の発明によれば、操作部を、対応付けられた処理内容に応じて視覚的に区別される対応で表示させるので、ユーザーは同じ領域に属する複数の操作部を直感的に把握することができ、ユーザーに対する操作性を一層向上することが可能となる。
【発明を実施するための最良の形態】
【００２４】
以下の実施例では、本発明に係る処理実行プログラムを携帯電話としての携帯端末に適用した場合を説明するが、本発明はこれに限定されるものではなく、ＰＨＳ（Personal Handy-phone System）、ＰＤＡ（Personal Digital Assistant）、パソコン、リモコン等、少なくとも複数の領域からなる受付部を備えてユーザから押下または接触による指示を受け付け、当該指示された領域に応じた処理を実行する電子機器であれば、同様に適用できる。
【００２５】
以下に添付図面を参照して、実施例１に係る携帯端末の概要および特徴、実施例１に係る携帯端末の構成および処理の流れ、実施例１の効果を順に説明し、引き続き、他の実施例を説明する。
【実施例１】
【００２６】
［実施例１に係る携帯端末の概要および特徴］
まず、図１を用いて、実施例１に係る携帯端末の概要および特徴を説明する。図１は、実施例１に係る携帯端末の概要および特徴を説明するための図である。
【００２７】
実施例１に係る携帯端末の概要を以下に説明する。携帯端末１０は、複数の領域からなる受付部を備える。例えば、図１に示すように、携帯端末１０は、「１」や「♯」などの記号が表記されたそれぞれのボタンが規則正しく配置された受付部２０を備える。そして、携帯端末１０は、当該受付部においてユーザから押下または接触による指示を受け付けると、当該指示された領域に応じた処理を実行する。例えば、図１に示すように、携帯端末１０は、数字が表記されたボタンをユーザによって押下されることで、当該数字を発信電話番号の一部として受け付けるなどの処理を実行する。以上が携帯端末の概要であり、この携帯端末は、ユーザに対する操作性を向上することを可能としている点に主たる特徴がある。
【００２８】
この主たる特徴について説明すると、携帯端末１０は、複数の領域を区分けしてなる各領域群のなかで各領域が同一の処理内容となるように、複数の領域と処理内容とが対応付けられた対応関係を保持する。
【００２９】
具体的に例を挙げて説明すると、図１に示すように、携帯端末１０は、『０９０−１××４−５××８に発信』という処理内容と、『「１」、「４」、「７」および「※」それぞれが表記された４つのボタンから出力される信号に基づく情報』とを対応付け、並びに、『０９０−２××５−６××９に発信』という処理内容と、『「２」、「５」、「８」および「０」それぞれが表記された４つのボタンから出力される信号に基づく情報』とを対応付け、並びに、『０９０−３××６−７××１に発信』という処理内容と、『「３」、「６」、「９」および「♯」それぞれが表記された４つのボタンから出力される信号に基づく情報』とを対応付けたテーブル１１を記憶する。
【００３０】
そして、携帯端末１０は、ユーザによって指示された領域に対応する処理内容を対応関係から選択し、当該選択した処理内容を実行する。
【００３１】
具体的に例を挙げて説明すると、図１に示すように、携帯端末１０は、ユーザによって「５」が表記されたボタンを押下されると、当該「５」が表記されたボタンから出力される信号に基づく情報にはテーブル１１より「０９０−２××５−６××９に発信」という処理内容が対応付けられているので、その処理内容のとおり実行する（図１の（１）参照）。
【００３２】
また、この処理内容には、「５」の他に「２」、「８」および「０」が表記されたボタンから出力される信号に基づく情報も対応付けられているので、携帯端末１０は、これらいずれかのボタンを押下された場合には、同じ処理内容を実行する。
【００３３】
なお、通常、携帯端末１０は、所定の数字が表記されたボタンを押下された場合には、当該数字を発信電話番号の一部として受け付けるという処理を実行するが、ここでは、携帯端末１０は、所定のボタンを押下されることによって既に登録された電話番号に発信するという携帯端末１０固有の機能（以下、「スピードダイヤル機能」と呼称）を所有し、このスピードダイヤル機能について上記の処理を実行する場合を例に挙げて説明する。
【００３４】
したがって、この携帯端末によれば、上記した主たる特徴のとおり、ユーザに対する操作性を向上することが可能となる。つまり、同じ領域群に属する複数の領域（図１では、複数のボタン）のいずれかをユーザが指示すれば意図する処理が実行される結果、例えば、複数のボタンのなかから意図する処理に対応する一つのボタンを探す必要はなく、また、一つの操作ボタンのみに狙いを定めて押下する必要もなくなるので、ユーザに対する操作性を向上することが可能となる。
【００３５】
［実施例１に係る携帯端末の構成］
次に、図２を用いて、図１に示した実施例１に係る携帯端末の構成を説明する。図２は、携帯端末の構成を示すブロック図である。
【００３６】
図２に示すように、携帯端末１０は、受付部２０と、記憶部３０と、処理部４０と、出力部５０を備える。
【００３７】
受付部２０は、ユーザから押下または接触による指示を受付ける。具体的には、受付部２０は、図２に示すように、「１」ボタン２０ａ〜「０」２０ｊボタンと、「※」ボタン２０ｋと、「♯」ボタン２０ｌとを備え、それぞれのボタンが押下されると、所定の信号を処理部４０に出力する。例えば、受付部２０は、ユーザによって「１」ボタンを押下されると、「１」を意味する所定の信号を処理部４０に出力する。また、各ボタンは、３原色のＬＥＤ（Light Emitting Diode）を備え、後述する発光制御部４３によって当該ＬＥＤを制御されることで、所定の色の光を発光する。なお、受付部２０は、これらのボタンの他に、電源の入／切を制御するボタンなどを備えるがここでは省略する。
【００３８】
記憶部３０は、処理部４０による各種処理に必要なデータおよびプログラムを記憶し、特に本発明に密接に関連するものとしては、対応関係記憶部３１を備える。なお、対応関係記憶部３１は、特許請求の範囲に記載の「保持手順」に対応する。
【００３９】
対応関係記憶部３１は、隣接する領域同士が同じ領域群に属するように複数の領域を区分けしてなる各領域群について、各領域群のなかで各領域が同一の処理内容となるように、複数の領域と処理内容とが対応付けられた対応関係を記憶する。具体的には、図３に示すように、対応関係記憶部３１は、携帯端末１０が所有するスピードダイヤル機能に係る処理内容と、受付部２０が備える各ボタンから出力される信号に基づく情報と、後述する発光制御部４３が各ボタンを一意に識別するためのボタン識別情報と、同じく発光制御部４３がボタンを発光させるかを示す発光色情報とを対応付けて記憶する。なお、上記した「情報」については、その情報の元になる信号を出力するボタンにおいて、隣接するボタン同士が同じボタン群に属するように処理内容と対応付けて記憶する。
【００４０】
例えば、図３に示すように、対応関係記憶部３１は、『０９０−１××４−５××８に発信』という処理内容に対して『「１」、「４」、「７」および「※」』といった、「１」、「４」、「７」および「※」が表記されたそれぞれ４つのボタンから出力される信号に基づく情報を対応付け、さらに上記した「情報」に対して『「１１」、「１２」、「１３」および「１４」』といったボタン識別情報と、『Ｂ（blue）』といった発光色情報を対応付けて記憶する。なお、図３は、対応関係記憶部３１が記憶する情報の例を示す図である。
【００４１】
処理部４０は、ＯＳ（Operating System）などの制御プログラム、各種の処理手順などを規定したプログラムおよび所要データを格納するための内部メモリを有して種々の処理（例えば、通話のための発着信処理やメール送受信のための処理やＷｅｂページを閲覧するためのＷｅｂ処理など）を実行し、特に本発明に密接に関連するものとしては、処理実行部４１と、ディスプレイ制御部４２と、発光制御部４３を備える。なお、処理実行部４１は、特許請求の範囲に記載の「処理実行手順」に対応し、ディスプレイ制御部４２は、同じく「報知手順」に対応し、発光制御部４３は、同じく「発光手順」に対応する。
【００４２】
処理実行部４１は、対応関係記憶部３１によって記憶された対応関係から、ユーザによって指示された領域に対応する処理内容を選択し、当該選択した処理内容を実行する。具体的には、上述した受付部２０の所定のボタンから出力された信号を受け取ると、その信号が意味する情報に変換して対応関係記憶部３１によって記憶された対応関係から当該情報に対応する処理内容を選択し、当該選択した処理内容を実行する。例えば、処理実行部４１は、ユーザが「１」ボタンが押下することによって出力された信号を受け取ると、対応関係記憶部３１によって記憶された対応関係から「０９０−１××４−５××８に発信」という処理内容を選択して実行する。
【００４３】
ディスプレイ制御部４２は、対応関係記憶部３１によって記憶された対応関係をユーザに報知する。具体的には、ディスプレイ制御部４２は、所定の操作によってスピードダイヤル機能が開始されると、記憶部３０に予め格納された画像情報を記憶部３０から読み出して後述する出力部５０に出力する。例えば、図４に示すように、ディスプレイ制御部４２は、ディスプレイ１２に「Ａ子  青色ボタン」などと表示される画像情報を出力部５０に出力する。
【００４４】
発光制御部４３は、対応関係記憶部３１によって記憶された対応関係で同一の処理内容が対応付けられている各領域を同一色で発光させる。具体的には、発光制御部４３は、所定の操作によってスピードダイヤル機能が開始されると、対応関係記憶部３１によって記憶されたボタン識別情報と発光色情報とを対応関係記憶部３１から読み出し、上記した各ボタンのＬＥＤを制御して所定の色の光を発光させる。例えば、発光制御部４３は、ボタン識別情報「１１」と発光色情報「Ｂ」とを対応関係記憶部３１から読み出し、ボタン識別情報「１１」が示す「１」ボタン２０ａが青色に発光するように制御する。なお、対応関係記憶部３１では、隣接するボタン同士が同じボタン群に属するように複数のボタンを区分けしてなる各ボタン群について、各ボタン群のなかで各ボタンが同一の処理内容となるように、複数のボタンと処理内容とが対応付けてされているので、図４に示すように、発光制御部４３は、各ボタンを列ごとに同一色で発光する。
【００４５】
出力部５０は、各種処理の結果を出力し（例えば、処理部４０の発着信処理によって「通話」などの文字を表示する）、ディスプレイで構成され、特に本発明に密接に関連するものとしては、上述したディスプレイ制御部４２から画像情報を受け取ると、所定の画面をディスプレイに表示出力する（図４参照）。
【００４６】
［実施例１に係る携帯端末による処理］
次に、図５を用いて、実施例１における携帯端末による処理を説明する。図５は、携帯端末１０による処理実行の流れを示すフローチャートである。
【００４７】
携帯端末１０は、所定の操作によってスピードダイヤル機能が開始されると（ステップＳ５０１肯定）、発光制御部４３によって各ボタンを発光し（ステップＳ５０２）、記憶部３０に予め格納された画像情報をディスプレイ制御部４２によって出力部５０に出力し（ステップＳ５０３）、出力部５０のディスプレイに所定の画面を表示する（ステップＳ５０４）。
【００４８】
そして、携帯端末１０は、受付部２０の各ボタンが押下されるか監視し（ステップＳ５０５）、受付部２０の所定のボタンが押下されると（ステップＳ５０５肯定）、処理実行部４１によって当該ボタンに対応する処理を実行し（ステップＳ５０６）、処理を終了する。
【００４９】
［実施例１の効果］
上記したように、実施例１によれば、複数のボタンを区分けしてなる各ボタン群のなかで各ボタンが同一の処理内容となるように、複数のボタンと処理内容とが対応付けられた対応関係を記憶し、当該対応関係からユーザによって押下されたボタンに対応する処理内容を選択し、当該選択した処理内容を実行するので、ユーザに対する操作性を向上することが可能となる。つまり、同じボタン群に属する複数のボタンのいずれかをユーザが指示すれば意図する処理が実行される結果、例えば、複数のボタンのなかから意図する処理に対応する一つのボタンを探す必要はなく、また、一つのボタンのみに狙いを定めて押下する必要もなくなるので、ユーザに対する操作性を向上することが可能となる。
【００５０】
また、実施例１によれば、予め想定される状況ごとに予め規定された対応関係を保持し、当該対応関係のうち現状況に該当する対応関係から、ユーザによって押下されたボタンに対応する処理内容を選択し、当該選択した処理内容を実行するので、処理の個数に応じてボタンを動的に割り当てる手法と比較して、処理速度を速くすることが可能となる。
【００５１】
また、実施例１によれば、ディスプレイに所定の画面を表示して対応関係をユーザに報知するので、ユーザに対する操作性を一層向上することが可能となる。
【００５２】
また、実施例１によれば、受付部において、同一の処理内容が対応付けられている各ボタンを同一色で発光させるので、ユーザは同じボタン群に属する複数のボタンを直感的に把握することができ、ユーザに対する操作性を一層向上することが可能となる。
【００５３】
また、実施例１によれば、隣接するボタン同士が同じボタン群に属するように複数のボタンを区分けしてなる各ボタン群について、各ボタン群のなかで各ボタンが同一の処理内容となるように、複数のボタンと処理内容とが対応付けられた対応関係を保持するので、ユーザに対する操作性を一層向上することが可能となる。つまり、同じボタン群に属する複数のボタンが擬似的に一つの大きなボタンとなる結果、例えば、ボタンが小さくなった場合においても、擬似的にボタンを大きくすることが可能となるので、ユーザに対する操作性を一層向上することが可能となる。
【実施例２】
【００５４】
実施例１では、予めスピードダイヤル機能に係る電話番号が登録されている場合を説明したが、実施例２では、スピードダイヤル機能に係る新たな電話番号を新規に登録する場合を説明する。
【００５５】
図６を用いて、実施例２に係る携帯端末を説明する。図６は、実施例２に係る携帯端末を説明するための図である。
【００５６】
携帯端末１０は、スピードダイヤル機能に係る電話番号が新規に登録されると、現にユーザが選択可能なスピードダイヤル機能に係る処理内容の個数に応じて受付部２０が備える各ボタンを均等に、かつ、隣接するボタン同士が同じボタン群に属するように区分けし、当該区分けした各ボタン群のなかで各ボタンが同一の処理内容となるように、各ボタンに処理内容を割り当てる。
【００５７】
例えば、図６に示すように、携帯端末１０は、スピードダイヤル機能に係る電話番号が新規に登録され、当該電話番号に発信する処理内容を含めて４つの処理内容が選択可能となった場合には（矢印１３参照）、「１」、「２」、「３」が表記されたボタンを一つのボタン群に、「４」、「５」、「６」が表記されたボタンを一つのボタン群に、「７」、「８」、「９」が表記されたボタンを一つのボタン群に、そして、「※」、「０」、「♯」が表記されたボタンを一つのボタン群に区分けして、スピードダイヤル機能に係る電話番号に発信する処理内容に対して各ボタン群を割り当てる。なお、選択可能な処理内容が４つのほか、図６に示すように、携帯端末１０は、選択可能な処理内容が２つ、３つ、５つ、そして６つの場合においても同様に受付部２０が備える各ボタンを均等に、かつ、隣接するボタン同士が同じボタン群に属するように区分けし、当該区分けした各ボタン群のなかで各ボタンが同一の処理内容となるように、各ボタンに処理内容を割り当てる。
【００５８】
［実施例２に係る携帯端末の構成］
次に、図７を用いて、図６に示した実施例２に係る携帯端末の構成を説明する。図７は、実施例２に係る携帯端末の構成を示すブロック図である。
【００５９】
図７に示すように、携帯端末１０は、受付部２０と、記憶部３０と、処理部４０と、出力部５０とを備える。また、受付部２０は、「１」ボタン２０ａ〜「０」ボタン２０ｊと、「※」ボタン２０ｋと、「♯」ボタン２０ｌとを備え、記憶部３０は、対応関係記憶部３２を備え、処理部４０は、処理実行部４１と、割り当て処理部４４と、画面生成部４５とを備える。なお、実施例１と同じ動作をするものについては同じ番号を付して説明を省略し、以下では、対応関係記憶部３２と、割り当て処理部４４と、画面生成部４５のみ説明を行う。また、対応関係記憶部３２は、特許請求の範囲に記載の「保持手順」に対応し、割り当て処理部４４は、同じく「割当手順」に対応し、画面生成部４５は、同じく「報知手順」に対応する。
【００６０】
対応関係記憶部３２は、隣接する領域同士が同じ領域群に属するように複数の領域を区分けしてなる各領域群について、各領域群のなかで各領域が同一の処理内容となるように、複数の領域と処理内容とが対応付けられた対応関係を記憶する。具体的には、図８に示すように、対応関係記憶部３２は、後述する割り当て処理部４４から出力されたスピードダイヤル機能に係る処理内容と、各ボタン群から出力される信号に基づく情報とを対応付けた対応関係を受け取って記憶する。
【００６１】
例えば、図８に示すように、対応関係記憶部３２は、『０９０−１××４−５××８に発信』という処理内容に対して『「１」、「４」、「７」および「※」』といった、「１」、「４」、「７」および「※」が表記されたそれぞれ４つのボタンから出力される信号に基づく情報を対応付けた対応関係を割り当て処理部４４から受け取って記憶する。
【００６２】
割り当て処理部４４は、現にユーザが選択可能な処理内容の個数に応じて複数の領域を区分けし、当該区分けした各領域群のなかで各領域が同一の処理内容となるように、複数の領域それぞれに処理内容を割り当てる。
【００６３】
具体的には、割り当て処理部４４は、所定の操作でスピードダイヤル機能に係る電話番号が新規に登録されると、現にユーザが選択可能なスピードダイヤル機能に係る処理内容の個数に応じて受付部２０の各ボタンが均等な数のボタン群に区分けされ、かつ、隣接するボタン同士が同じボタン群に属するように区分けを算出し、当該算出した区分けに基づいて、スピードダイヤル機能に係る処理内容と、各ボタン群から出力される信号に基づく情報とを対応付けて対応関係記憶部３２に格納する。なお、スピードダイヤル機能に係る電話番号が新規に登録される所定の操作としては、例えば、電話帳機能に電話番号や名前などが登録された後、当該電話番号をスピードダイヤル機能に係る電話番号として登録するか否かをユーザに選択させるなどしてもよい。
【００６４】
例えば、割り当て処理部４４は、スピードダイヤル機能に係る電話番号が新規に登録され、現にユーザが選択可能なスピードダイヤル機能に係る処理内容の個数が４つであった場合には、受付部２０の１２個のボタンが３個のボタンからなるボタン群で４つに区分けされるように区分けを算出し、スピードダイヤル機能に係るそれぞれ４つの処理内容に対して、「１」ボタン２０ａ〜「３」ボタン２０ｃから出力される信号に基づく３つの情報と、「４」ボタン２０ｄ〜「６」ボタン２０ｆから出力される信号に基づく３つの情報と、「７」ボタン２０ｇ〜「９」ボタン２０ｉから出力される信号に基づく３つの情報と、「０」ボタン２０ｊ〜「♯」ボタン２０ｌから出力される信号に基づく３つの情報とを対応付けて対応関係記憶部３２に格納する。
【００６５】
画面生成部４５は、対応関係記憶部３２によって記憶された対応関係をユーザに報知する。具体的には、画面生成部４５は、所定の操作によってスピードダイヤル機能が開始されると、対応関係記憶部３２によって記憶された対応関係や記憶部３０によって記憶された種々のデータに基づいて所定の画像情報を生成し、当該生成した画像情報を後述する出力部５０に出力する。例えば、画面生成部４５は、「０９０−１××４−５××８に発信」という処理内容と、「１」ボタン２０ａ〜「３」ボタン２０ｃから出力される信号に基づく３つの情報とからなる対応関係から、「Ａ子→１，２，３」といった文字列からなる画像情報を生成し、当該生成した画像情報を出力部５０に出力する。なお、出力部５０は、画面生成部４５から受け取った画像情報に基づいてディスプレイに所定の画面を出力する（図９参照）。
【００６６】
［実施例２に係る携帯端末による処理］
次に、図１０や図１１を用いて、実施例２における携帯端末による処理を説明する。図１０は、携帯端末による処理実行の流れを示すフローチャートであり、図１１は、携帯端末による割り当て処理の流れを示すフローチャートである。
【００６７】
図１０に示すように、携帯端末１０は、所定の操作によってスピードダイヤル機能が開始されると（ステップＳ１００１肯定）、画面生成部４５によって所定の画像情報を生成し（ステップＳ１００２）、出力部５０によって当該画像情報に基づいた所定の画面を出力表示する（ステップＳ１００３）。
【００６８】
そして、携帯端末１０は、受付部２０の各ボタンが押下されるか監視し（ステップＳ１００４）、所定のボタンが押下されると（ステップＳ１００４肯定）、処理実行部４１によって当該ボタンから出力された信号に基づく情報に対応する処理内容を実行し（ステップＳ１００５）、処理を終了する。
【００６９】
また、図１１に示すように、携帯端末１０は、所定の操作でスピードダイヤル機能に係る電話番号が新規に登録されると（ステップＳ１１０１肯定）、割り当て処理部４４によって現にユーザが選択可能なスピードダイヤル機能に係る処理内容の個数に応じて受付部２０の各ボタンに対して均等に、かつ、隣接するボタン同士が同じボタン群に属するように区分けがなされるように区分けを算出し（ステップＳ１１０２）、当該算出した区分けに基づいて、スピードダイヤル機能に係る処理内容と、受付部２０が備える各ボタンから出力される信号に基づく情報とを対応付けて対応関係記憶部３２に格納する（ステップＳ１１０３）。そして、携帯端末１０は、対応関係記憶部３２によってスピードダイヤル機能に係る処理内容と、受付部２０が備える各ボタンから出力される信号に基づく情報とを対応付けた対応関係を記憶し（ステップＳ１１０４）、処理を終了する。
【００７０】
［実施例２の効果］
上記したように、実施例２によれば、現にユーザが選択可能な処理内容の個数に応じて複数のボタンを区分けし、当該区分けした各ボタン群のなかで各ボタンが同一の処理内容となるように、複数のボタンそれぞれに処理内容を割り当てるので、ユーザが選択可能な処理内容の個数が変化するような状況においても、ユーザに対する操作性を向上することが可能となる。
【実施例３】
【００７１】
さて、これまで本発明の実施例について説明したが、本発明は上述した実施例以外にも、種々の異なる形態にて実施されてよいものである。そこで、以下に示すように、（１）〜（８）にそれぞれ区分けして異なる実施例を説明する。
【００７２】
（１）受付部の形態
上記の実施例１では、受付部が複数のボタンからなり、当該ボタンに対するユーザの押下による指示を受け付ける場合を説明したが、本発明はこれに限定されるものではなく、複数の領域からなる受付部ならばいかなる形態であってもよく、例えば、受付部がタッチパネルからなり、当該タッチパネルに対するユーザの押下または接触による指示を受け付けてもよいし、受付部が複数のキーが配置されたものであり、当該キーに対するユーザの押下による指示を受け付けてもよい。
【００７３】
（２）ボタン群
また、上記の実施例１では、同一の処理内容に対応付けられたボタン群を隣接するボタン同士からなるボタン群として説明したが、本発明はこれに限定されるものではなく、隣接しないボタン同士からなるボタン群としてもよく、この場合においても複数のボタンのなかから意図する処理に対応する一つのボタンを探す必要はなく、また、一つのボタンのみに狙いを定めて押下する必要もなくなるので、ユーザに対する操作性を向上することが可能となる。
【００７４】
（３）対応関係の報知
また、上記の実施例１では、携帯端末のディスプレイにボタンと処理内容との対応関係を表示する場合を説明したが、本発明はこれに限定されるものではなく、必ずしもボタンと処理内容との対応関係をユーザに報知する手段を設けなくてもよい。
【００７５】
（４）ボタンの発光
また、上記の実施例１では、同一の処理内容に対応付けられたボタンを同一色に発光させる場合を説明したが、本発明はこれに限定されるものでなく、必ずしも上記した規定でボタンを発光させる手段を設けなくてもよい。
【００７６】
また、上記の実施例２では、ボタンを発光させないものとして説明したが、本発明はこれに限定されるものでなく、実施例１と同様、同一の処理内容に対応付けられたボタンを同一色に発光させてもよい。具体的には、携帯端末１０は、各ボタンにＬＥＤを、処理部４０に発光制御手段をさらに備える。そして、割り当て処理部４４は、算出した区分けに基づいて、スピードダイヤル機能に係る処理内容に対して各ボタン群から出力される信号に基づく情報を対応付けるほか、さらにボタンの識別情報と、発光色情報とを対応付けて対応関係記憶部３２に格納する。そして、処理部４０の発光制御手段は、対応関係記憶部３２に格納された対応関係に基づいて各ボタンのＬＥＤを制御して各ボタンを発光させる。
【００７７】
（５）ユーザの指示
また、上記の実施例１では、ユーザの指による押下または接触で指示を受け付けるものとして説明したが、本発明はこれに限定されるものでなく、ユーザから結果的に指示を受け付けるものであればいかなる手法であってもよく、例えば、受付部を操作するためのペン状の棒などによる押下または接触で指示を受け付けてもよい。
【００７８】
（６）区分けの算出
また、上記の実施例２では、現にユーザが選択可能なスピードダイヤル機能に係る処理内容の個数に応じて、受付部２０の各ボタンが均等な数のボタン群に区分けされるように区分けを算出する場合を説明したが、本発明はこれに限定されるものではなく、現にユーザが選択可能な処理内容それぞれの実行頻度に応じて、当該実行頻度が高い処理内容ほど多数のボタンが割り当てられるように区分けを算出してもよい。
【００７９】
例えば、図１２に示すように、割り当て処理部４２は、スピードダイヤル機能に係る電話番号が新規に登録され、現にユーザが選択可能なスピードダイヤル機能に係る処理内容の個数が４つであり、一つの処理内容が他の３つと比較して実行頻度が高い場合には、受付部２０の１２個のボタンが６個のボタンからなるボタン群一つと、２個のボタンからなるボタン群３つに区分けされるように区分けを算出するようにしてもよい。
【００８０】
こうすることによって、現にユーザが選択可能な処理内容それぞれの実行頻度に応じて、当該実行頻度が高い処理内容ほど多数のボタンが割り当てられるように、複数のボタンそれぞれに処理内容を割り当てるので、ユーザに対する操作性を一層向上することが可能となる。例えば、実行頻度が高い処理内容ほど多数の操作ボタンによってユーザは押下し易くなる結果、ユーザに対する操作性を一層向上することが可能となる。なお、処理内容の実行頻度に応じた重み付けで区分けを算出するのではなく、処理が実行された時間が現時点に近い処理内容ほど多数のボタンが割り当てられるように区分けを算出してもよい。
【００８１】
（７）対応関係の報知
また、上記の実施例２では、ボタンに表記された記号や発信する相手の名前などを出力部５０に出力表示させることによってユーザに対応関係を報知する場合を説明したが、本発明はこれに限定されるものではなく、ユーザに対応関係が報知されるものであればいかなる手法であってもよく、例えば、携帯端末が備える所定のスピーカから音声を発することによってユーザに対応関係を報知するようにしてもよいし、タッチパネル式の受付部において、受付部のパネル上に対応関係を直接表示するようにしてもよい。
【００８２】
（８）処理内容
また、上記の実施例１では、本実施例で想定した携帯端末固有のスピードダイヤル機能における処理内容を実行する場合を説明したが、本発明はこれに限定されるものではなく、複数の領域からなる受付部においてユーザから押下または接触による指示を受け付けることで実行される処理内容であればいかなるものであってもよく、例えば、電話帳機能において電話番号に対応する名前の入力を受け付ける際、所定の漢字変換にて複数の候補をディスプレイに表示してユーザによる選択を待つという処理内容に適用してもよい。
【００８３】
（９）ところで、複数の操作部と、複数の操作部に対して処理内容を対応づけるとともに、複数の操作部のいずれかが操作された際に当該操作部に対応した処理を実行する処理部と、選択肢となる処理内容の個数に応じて、操作部を複数の領域に分割し、処理内容のそれぞれに対応させるべき領域を決定する割り当て部と、を備えるように携帯端末を構成してもよい。
【００８４】
具体的に例を挙げれば、携帯端末において、割り当て部は、４行３列にボタンが並んでおり、選択肢となる処理内容が４とおりであった場合には、ボタンを行ごとに一つの領域として分割して各行とその行に対応させるべき処理内容との対応関係を決定する。そして、携帯端末において、処理部は、割り当て部によって決定された対応関係で複数のボタンに対して処理内容を対応づけ、複数のボタンのいずれかが押下された際に当該ボタンに対応した処理を実行するようにしてもよい。
【００８５】
（１０）また、携帯端末は、さらに、操作部を、対応付けられた処理内容に応じて視覚的に区別される対応で表示させる制御部を備えるように構成してもよい。
【００８６】
具体的に例を挙げれば、携帯端末において、制御部は、上記の４行３列のボタンについて、１行目のボタンを赤色、２行目のボタンを緑色、３行目のボタンを青色、４行目のボタンを黄色に発光させるなどして、対応付けられた処理内容に応じて視覚的に区別するようにしてもよい。
【００８７】
（１１）また、複数の操作部と、複数の操作部に対して処理内容を対応づけるとともに、複数の操作部のいずれかが操作された際に当該操作部に対応した処理を実行する処理部と、選択肢となる処理内容の個数に応じて、処理内容のそれぞれに対応させるべき操作部の個数を決定する割り当て部と、を備えるように携帯端末を構成してもい。
【００８８】
具体的に例を挙げれば、携帯端末において、割り当て部は、４行３列にボタンが並んでおり、選択肢となる処理内容が４とおりであった場合には、全部で１２個のボタンのうち、一つの処理内容をボタン２個に、もう一つの処理内容をボタン３個に、もう一つの処理内容をボタン４個に、もう一つの処理内容をボタン３個に対応付ける対応関係を決定する。そして、携帯端末において、処理部は、割り当て部によって決定された対応関係で複数のボタンに対して処理内容を対応づけ、複数のボタンのいずれかが押下された際に当該ボタンに対応した処理を実行するようにしてもよい。
【００８９】
（１２）また、携帯端末において、割り当て部は、複数の処理内容のそれぞれに対応する操作部の数が均等になるように、処理内容のそれぞれと複数の操作部とを対応させるようにしてもよい。
【００９０】
具体的に例を挙げれば、携帯端末において、割り当て部は、上記の全部で１２個のボタンのうち、４つの処理内容を均等にボタン３個ずつに対応付ける対応関係を決定してもよい。
【００９１】
（１３）また、複数の操作部と、複数の操作部に対して処理内容を対応づけるとともに、複数の操作部のいずれかが操作された際に当該操作部に対応した処理を実行する処理部と、選択肢となる処理内容が複数存在する場合、操作部を複数の領域に分割し、処理内容のそれぞれに対応させるべき領域を決定する割り当て部と、を備えるように携帯端末を構成してもよい。
【００９２】
具体的に例を挙げれば、携帯端末において、割り当て部は、４行３列にボタンが並んでおり、選択肢となる処理内容が４とおり、複数あった場合には、ボタンを行ごとに一つの領域として分割して各行とその行に対応させるべき処理内容との対応関係を決定する。そして、携帯端末において、処理部は、割り当て部によって決定された対応関係で複数のボタンに対して処理内容を対応づけ、複数のボタンのいずれかが押下された際に当該ボタンに対応した処理を実行するようにしてもよい。
【００９３】
（付記１）複数の領域からなる受付部においてユーザから押下または接触による指示を受け付け、当該指示された領域に応じた処理を実行する処理実行方法をコンピュータに実行させる処理実行プログラムであって、
前記複数の領域を区分けしてなる各領域群のなかで各領域が同一の処理内容となるように、前記複数の領域と処理内容とが対応付けられた対応関係を保持する保持手順と、
前記保持手順によって保持された対応関係から、前記ユーザによって指示された領域に対応する処理内容を選択し、当該選択した処理内容を実行する処理実行手順と、
をコンピュータに実行させることを特徴とする処理実行プログラム。
【００９４】
（付記２）前記保持手順によって保持された対応関係をユーザに報知する報知手順をさらにコンピュータに実行させることを特徴とする付記１に記載の処理実行プログラム。
【００９５】
（付記３）前記保持手順は、予め想定される状況ごとに予め規定された前記対応関係を保持し、
前記処理実行手順は、前記保持手順によって保持された対応関係のうち現状況に該当する対応関係から、前記ユーザによって指示された領域に対応する処理内容を選択し、当該選択した処理内容を実行することを特徴とする付記１または２に記載の処理実行プログラム。
【００９６】
（付記４）現にユーザが選択可能な処理内容の個数に応じて前記複数の領域を区分けし、当該区分けした各領域群のなかで各領域が同一の処理内容となるように、前記複数の領域それぞれに処理内容を割り当てる割当手順をさらにコンピュータに実行させ、
前記保持手順は、前記割当手順によって割り当てられた対応関係を保持することを特徴とする付記１または２に記載の処理実行プログラム。
【００９７】
（付記５）前記割当手順は、現にユーザが選択可能な処理内容それぞれの実行頻度に応じて、当該実行頻度が高い処理内容ほど多数の領域が割り当てられるように、前記複数の領域それぞれに処理内容を割り当てることを特徴とする付記４に記載の処理実行プログラム。
【００９８】
（付記６）前記受付部において、前記保持手順によって保持された対応関係で同一の処理内容が対応付けられている各領域を同一色で発光させる発光手順をさらにコンピュータに実行させることを特徴とする付記１〜５のいずれか一つに記載の処理実行プログラム。
【００９９】
（付記７）前記保持手順は、隣接する領域同士が同じ領域群に属するように前記複数の領域を区分けしてなる各領域群について、各領域群のなかで各領域が同一の処理内容となるように、前記複数の領域と処理内容とが対応付けられた対応関係を保持することを特徴とする付記１〜６のいずれか一つに記載の処理実行プログラム。
【０１００】
（付記８）複数の領域からなる受付部においてユーザから押下または接触による指示を受け付け、当該指示された領域に応じた処理を実行する処理実行装置であって、
前記複数の領域を区分けしてなる各領域群のなかで各領域が同一の処理内容となるように、前記複数の領域と処理内容とが対応付けられた対応関係を記憶する記憶手段と、
前記記憶手段によって記憶された対応関係から、前記ユーザによって指示された領域に対応する処理内容を選択し、当該選択した処理内容を実行する処理実行手段と、
を備えたことを特徴とする処理実行装置。
【０１０１】
（付記９）複数の領域からなる受付部においてユーザから押下または接触による指示を受け付け、当該指示された領域に応じた処理を実行する処理実行方法であって、
前記複数の領域を区分けしてなる各領域群のなかで各領域が同一の処理内容となるように、前記複数の領域と処理内容とが対応付けられた対応関係を保持する保持工程と、
前記保持工程によって保持された対応関係から、前記ユーザによって指示された領域に対応する処理内容を選択し、当該選択した処理内容を実行する処理実行工程と、
を含んだことを特徴とする処理実行方法。
【０１０２】
（付記１０）複数の操作部と、
前記複数の操作部に対して処理内容を対応づけるとともに、前記複数の操作部のいずれかが操作された際に当該操作部に対応した処理を実行する処理部と、
選択肢となる処理内容の個数に応じて、前記操作部を複数の領域に分割し、前記処理内容のそれぞれに対応させるべき前記領域を決定する割り当て部と、
を備えることを特徴とする処理実行装置。
【０１０３】
（付記１１）前記端末装置は、さらに、
前記操作部を、対応付けられた処理内容に応じて視覚的に区別される対応で表示させる制御部を備えることを特徴とする付記１０に記載の処理実行装置。
【０１０４】
（付記１２）複数の操作部と、
前記複数の操作部に対して処理内容を対応づけるとともに、前記複数の操作部のいずれかが操作された際に当該操作部に対応した処理を実行する処理部と、
選択肢となる処理内容の個数に応じて、前記処理内容のそれぞれに対応させるべき前記操作部の個数を決定する割り当て部と、
を備えることを特徴とする処理実行装置。
【０１０５】
（付記１３）前記端末装置において、
前記割り当て部は、前記複数の処理内容のそれぞれに対応する前記操作部の数が均等になるように、前記処理内容のそれぞれと前記複数の操作部とを対応させることを特徴とする付記１２に記載の処理実行装置。
【０１０６】
（付記１４）複数の操作部と、
前記複数の操作部に対して処理内容を対応づけるとともに、前記複数の操作部のいずれかが操作された際に当該操作部に対応した処理を実行する処理部と、
選択肢となる処理内容が複数存在する場合、前記操作部を複数の領域に分割し、前記処理内容のそれぞれに対応させるべき前記領域を決定する割り当て部と、
を備えることを特徴とする処理実行装置。
【産業上の利用可能性】
【０１０７】
以上のように、本発明に係る処理実行プログラムは、複数のボタンからなる受付部においてユーザから押下または接触による指示を受け付け、当該指示されたボタンに応じた処理を実行する場合に有用であり、特に、ユーザに対する操作性を向上することに適する。
【図面の簡単な説明】
【０１０８】
【図１】実施例１に係る携帯端末の概要および特徴を説明するための図である。
【図２】実施例１に係る携帯端末の構成を示すブロック図である。
【図３】対応関係記憶部が記憶する情報の例を示す図である。
【図４】実施例１に係る携帯端末の概観を示す図である。
【図５】携帯端末による処理実行の流れを示すフローチャートである。
【図６】実施例２に係る携帯端末を説明するための図である。
【図７】実施例２に係る携帯端末の構成を示すブロック図である。
【図８】対応関係記憶部が記憶する情報の例を示す図である。
【図９】出力部が表示する画面の例を示す図である。
【図１０】携帯端末による処理実行の流れを示すフローチャートである。
【図１１】携帯端末による割り当て処理の流れを示すフローチャートである。
【図１２】区分けの算出を説明するための図である。
【符号の説明】
【０１０９】
１０  携帯端末
１１  テーブル
１２  ディスプレイ
１３  矢印
２０  受付部
２０ａ  「１」ボタン
２０ｂ  「２」ボタン
２０ｃ  「３」ボタン
２０ｄ  「４」ボタン
２０ｅ  「５」ボタン
２０ｆ  「６」ボタン
２０ｇ  「７」ボタン
２０ｈ  「８」ボタン
２０ｉ  「９」ボタン
２０ｊ  「０」ボタン
２０ｋ  「※」ボタン
２０ｌ  「♯」ボタン
３０  記憶部
３１  対応関係記憶部
３２  対応関係記憶部
４０  処理部
４１  処理実行部
４２  ディスプレイ制御部
４３  発光制御部
４４  割り当て処理部
４５  画面生成部
５０  出力部
【図１】
2008187358.tif 000003
【図２】
2008187358.tif 000004
【図３】
2008187358.tif 000005
【図４】
2008187358.tif 000006
【図５】
2008187358.tif 000007
【図６】
2008187358.tif 000008
【図７】
2008187358.tif 000009
【図８】
2008187358.tif 000010
【図９】
2008187358.tif 000011
【図１０】
2008187358.tif 000012
【図１１】
2008187358.tif 000013
【図１２】
2008187358.tif 000014